(57)【要約】【課題】扉へのアクセス性とジャム処理性を両立したシート搬送装置、画像形成装置及び画像形成システムを提供する。【解決手段】プリンタ本体と、プリンタ本体に対して開閉可能に支持され、プリンタ本体に対して開かれてかつ外力が加わらない場合に第１の位置で保持される扉１００と、扉１００が第１の位置よりもプリンタ本体に対して開かれた第２の位置に位置する場合に、扉１００を第１の位置に向けて付勢する付勢バネ１０３と、を設ける。【選択図】図４
2019078899.tif 000002
【特許請求の範囲】
【請求項１】
シートを搬送する搬送部を有する装置本体と、
前記装置本体に対して回動軸を中心に開閉可能に支持され、かつ前記装置本体に対して開かれた際に前記搬送部を露出させる扉であって、前記装置本体に対して開かれて且つ外力が加わらない場合は第１の位置で保持される扉と、
前記扉が前記第１の位置よりも前記装置本体に対して開かれた第２の位置に位置する場合に、前記扉を前記第１の位置に向けて付勢する付勢部と、を備える、
ことを特徴とするシート搬送装置。
【請求項２】
前記回動軸を中心に回動可能に支持される回動部材を備え、
前記扉は、前記回動部材に当接可能な第１当接部を有し、
前記回動部材は、前記第１当接部に当接可能な第２当接部を有し、
前記付勢部は、前記第１当接部及び前記第２当接部が互いに近づくように、前記扉及び前記回動部材を付勢している、
ことを特徴とする請求項１に記載のシート搬送装置。
【請求項３】
前記装置本体は、前記扉が前記第１の位置に位置する際に、前記回動部材の回動を規制する規制部を有し、
前記付勢部は、前記扉が前記第１の位置に位置する際に、前記扉の自重によって発生するモーメントよりも大きい付勢力を発生させる、
ことを特徴とする請求項２に記載のシート搬送装置。
【請求項４】
前記第１当接部及び前記第２当接部は、前記扉が前記第１の位置に位置する際に互いに当接し、前記扉が前記第２の位置に位置する際に互いに離間している、
ことを特徴とする請求項３に記載のシート搬送装置。
【請求項５】
前記装置本体は、前記扉が前記第１の位置よりも前記装置本体に対して閉じられた第３の位置に位置する際に、前記回動部材の回動を規制する規制部を有し、
前記付勢部は、前記扉が前記第１の位置に位置する際に、前記扉の自重によって発生するモーメントと等しい付勢力を発生させる、
ことを特徴とする請求項２に記載のシート搬送装置。
【請求項６】
前記第１当接部及び前記第２当接部は、前記扉が前記第３の位置に位置する際に互いに当接し、前記扉が前記第１の位置及び前記第２の位置に位置する際に互いに離間している、
ことを特徴とする請求項５に記載のシート搬送装置。
【請求項７】
前記回動部材は、前記第２の位置に位置する前記扉に当接し、前記扉が前記第２の位置よりも開くことを規制する第３当接部を有する、
ことを特徴とする請求項２乃至６のいずれか１項に記載のシート搬送装置。
【請求項８】
請求項１乃至７のいずれか１項に記載のシート搬送装置と、
前記シート搬送装置によって搬送されたシートに画像を形成する画像形成部と、を備える、
ことを特徴とする画像形成装置。
【請求項９】
前記扉は、前記画像形成部よりも下方に配置される、
ことを特徴とする請求項８に記載の画像形成装置。
【請求項１０】
前記扉は、開閉操作をするための把持部を備え、
前記回動軸は、鉛直方向において前記扉の中心位置よりも下側にあり、
前記把持部は、前記中心位置よりも上側にある、
ことを特徴とする請求項８又は９に記載の画像形成装置。
【請求項１１】
請求項８乃至１０のいずれか１項に記載の画像形成装置と、
前記画像形成装置に対して着脱可能に接続され、シートを搬送する他のシート搬送装置と、
前記他のシート搬送装置を前記画像形成装置に接続する際に、前記他のシート搬送装置を案内するガイドと、を備え、
前記他のシート搬送装置は、前記他のシート搬送装置が前記ガイドにより案内されて前記画像形成装置に装着される際に、前記第１の位置に位置する前記扉を閉じる方向に押圧する押圧部を有する、
ことを特徴とする画像形成システム。
【発明の詳細な説明】
【技術分野】
【０００１】
本発明は、シートを搬送するシート搬送装置並びにこれを備える画像形成装置及び画像形成システムに関する。
【背景技術】
【０００２】
一般に、プリンタ等の画像形成装置は、シートのジャム処理やメンテナンスのために、シートが搬送される搬送パスを開放可能な扉を有している。従来、プリンタの装置本体に対して開閉可能に支持される第１扉と、第１扉に対して開閉可能に支持される第２扉と、を有するプリンタが提案されている（特許文献１参照）。第１扉は、上下方向に長く伸びる搬送パスを開放可能に構成されており、第２扉は、第１扉の回動軸付近の搬送パスを開放可能に構成されている。
【先行技術文献】
【特許文献】
【０００３】
【特許文献１】特開２０１１−１３２９９号公報
【発明の概要】
【発明が解決しようとする課題】
【０００４】
しかしながら、上記特許文献１に記載の第２扉は、プリンタの下部に配置されており、第２扉の開き角度を大きく取ると第２扉を開閉するためのレバーへのアクセス性が損なわれてしまう。また、第２扉の開き角度を小さくすると、第２扉を開けた際のジャムを処理するための空間が狭くなり、ジャム処理性が低下してしまうという問題があった。
【０００５】
そこで、本発明は、扉へのアクセス性とジャム処理性を両立したシート搬送装置、画像形成装置及び画像形成システムを提供することを目的とする。
【課題を解決するための手段】
【０００６】
本発明は、シート搬送装置において、シートを搬送する搬送部を有する装置本体と、前記装置本体に対して回動軸を中心に開閉可能に支持され、かつ前記装置本体に対して開かれた際に前記搬送部を露出させる扉であって、前記装置本体に対して開かれて且つ外力が加わらない場合は第１の位置で保持される扉と、前記扉が前記第１の位置よりも前記装置本体に対して開かれた第２の位置に位置する場合に、前記扉を前記第１の位置に向けて付勢する付勢部と、を備える、ことを特徴とする。
【発明の効果】
【０００７】
本発明によると、扉へのアクセス性とジャム処理性を両立することができる。
【図面の簡単な説明】
【０００８】
【図１】第１の実施の形態に係るプリンタを示す全体概略図。
【図２】（ａ）は扉が第１の位置に位置している状態を示す模式図、（ｂ）は扉が第２の位置に位置している状態を示す模式図。
【図３】（ａ）は扉及び規制部材を示す斜視図、（ｂ）は扉、規制部材及び付勢バネを示す側面図、（ｃ）は扉、規制部材及び付勢バネを示す拡大側面図。
【図４】（ａ）は第１の位置に位置する扉及び規制部材を示す側面図、（ｂ）は第１の位置に位置する扉及び規制部材を示す拡大側面図。
【図５】（ａ）は第２の位置に位置する扉及び規制部材を示す側面図、（ｂ）は第２の位置に位置する扉及び規制部材を示す拡大側面図。
【図６】（ａ）は第１の位置に位置する扉及び外付けのシート搬送装置を示す模式図、（ｂ）は第２の位置に位置する扉及び外付けのシート搬送装置を示す模式図。
【図７】（ａ）は第２の実施の形態に係り、第３の位置に位置する扉、規制部材及び付勢バネを示す側面図、（ｂ）は第１の位置に位置する扉、規制部材及び付勢バネを示す側面図、（ｃ）は第２の位置に位置する扉、規制部材及び付勢バネを示す側面図。
【発明を実施するための形態】
【０００９】
＜第１の実施の形態＞
以下、図面に沿って第１の実施形態について説明する。なお、以下の説明において、画像形成装置を正面から視た状態（図１の視点）を基準にして上下左右及び手前奥の位置関係を表すものとする。
【００１０】
［プリンタの概略構成］
本実施の形態に係るシート搬送装置又は画像形成装置としてのプリンタ２０１は、電子写真方式のフルカラーレーザビームプリンタである。プリンタ２０１は、図１に示すように、装置本体であるプリンタ本体２０１Ａと、プリンタ本体２０１Ａの上方に設けられ、原稿の画像データを読み取る読取装置２０２と、を備えている。
【００１１】
プリンタ本体２０１Ａは、シートＰに画像を形成する画像形成部２０１Ｂ及びシートＰに画像を定着させる定着部２２０等を備えている。読取装置２０２とプリンタ本体２０１Ａとの間にはシートＰが排出される排出空間Ｓが形成されており、この排出空間Ｓには、排出されたシートＰが積載される排出トレイ２２３が設けられている。また、プリンタ本体２０１Ａには、画像形成部２０１ＢにシートＰを給送する複数（本実施の形態では２つ）のカセット給送装置２３０と、プリンタ本体２０１Ａに対して開閉可能に支持される扉１００と、が設けられている。扉１００は、画像形成部２０１Ｂよりも下方に配置されている。各カセット給送装置２３０は、シートＰを収納するカセット１と、シートＰを給送する搬送部としてのピックアップローラ８と、シートＰを１枚ずつ分離しながら搬送するフィードローラ９及びリタードローラ１０と、を有している。
【００１２】
画像形成部２０１Ｂは、レーザスキャナ２１０と、４個のプロセスカートリッジ２１１と、中間転写ユニット２０１Ｃと、を備えた、いわゆる４ドラムフルカラー方式の画像形成部である。これらプロセスカートリッジは、それぞれイエロー（Ｙ）、マゼンタ（Ｍ）、シアン（Ｃ）及びブラック（Ｋ）の各色のトナー画像を形成する。各プロセスカートリッジ２１１は、感光ドラム２１２、帯電器２１３、現像器２１４、及び不図示のクリーナ等を備えている。画像形成部２０１Ｂの上方には、各色のトナーを収容したトナーカートリッジ２１５が、プリンタ本体２０１Ａに対して着脱自在に装着されている。
【００１３】
中間転写ユニット２０１Ｃは、駆動ローラ２１６ａ及びテンションローラ２１６ｂ等に巻き掛けられる中間転写ベルト２１６を有しており、中間転写ベルト２１６は、４つのプロセスカートリッジ２１１の上方に配置されている。中間転写ベルト２１６は、各プロセスカートリッジ２１１の感光ドラム２１２に接触するように配置されると共に、不図示の駆動部に駆動される駆動ローラ２１６ａによって、反時計回り方向に回転駆動される。中間転写ユニット２０１Ｃは、各感光ドラム２１２と対向する位置において中間転写ベルト２１６の内周面に当接する１次転写ローラ２１９を備えており、中間転写ベルト２１６と感光ドラム２１２との間のニップ部として１次転写部ＴＰ１が形成されている。また、画像形成部２０１Ｂは、駆動ローラ２１６ａと対向する位置において中間転写ベルト２１６の外周面に当接する２次転写ローラ２１７を備えている。この２次転写ローラ２１７と中間転写ベルト２１６との間のニップ部として、中間転写ベルト２１６に担持されたトナー像がシートＰに転写される２次転写部ＴＰ２が形成されている。
【００１４】
上述のように構成される各プロセスカートリッジ２１１において、感光ドラム２１２の表面には、レーザスキャナ２１０によって静電潜像が描き込まれた後、現像器２１４からトナーが供給されることで負極性に帯電した各色のトナー像が形成される。これらのトナー像は、１次転写ローラ２１９に正極性の転写バイアス電圧が印加されることで、各１次転写部ＴＰ１において順次中間転写ベルト２１６へと多重転写されて、中間転写ベルト２１６にフルカラーのトナー像が形成される。
【００１５】
このような画像形成プロセスに並行して、カセット給送装置２３０から給送されたシートＰはレジストレーションローラ対（以下、レジローラ対と称する）２４０へ向けて搬送され、このレジローラ対２４０によって斜行補正される。レジローラ対２４０は、中間転写ベルト２１６に形成されたフルカラーのトナー像の転写タイミングに合わせたタイミングで、シートＰを２次転写部ＴＰ２に搬送する。中間転写ベルト２１６に担持されたトナー像は、２次転写ローラ２１７に正極性の転写バイアス電圧が印加されることで、２次転写部ＴＰ２においてシートＰへと２次転写される。
【００１６】
トナー像を転写されたシートＰは、定着部２２０において加熱及び加圧され、カラー画像がシートＰに定着させられる。画像が定着されたシートＰは、第１排出ローラ対２２５ａ又は第２排出ローラ対２２５ｂによって排出トレイ２２３へと排出されて積載される。なお、シートＰの両面に画像を形成する場合には、シートＰは定着部２２０を通過した後、正逆転可能な反転ローラ対２２２によってスイッチバックされる。そして、シートＰは再搬送路Ｒを介して２次転写部ＴＰ２へと再度搬送され、裏面に画像を形成される。
【００１７】
［扉の開閉構成］
扉１００は、図３（ａ）に示すように、プリンタ本体２０１Ａに対して回動軸１０２Ｃを中心に回動可能に支持されており、ユーザが扉１００を開閉操作するために掴む把手１０１と、プリンタ本体２０１Ａの外装を構成する扉カバー１０２と、を有している。回動軸１０２Ｃは、鉛直方向ＶＤにおいて、扉１００の中心位置６００よりも下側にあり、把手１０１は、中心位置６００よりも上側にある。なお、扉１００は、扉１００が綴じられた際にプリンタ本体２０１Ａに対してロックするロック機構を有してもよく、把手１０１をユーザが操作することで、ロック機構のロックを解除可能に構成してもよい。扉１００は、図２（ａ）に示すように、プリンタ本体２０１Ａに対して第１の角度α１を有するように開かれる第１位置と、図２（ｂ）に示すように、プリンタ本体２０１Ａに対して第２の角度α２を有するように開かれる第２位置と、の間で開閉可能である。なお、α１は４５°〜６０°、α２は７０°〜９０°が好ましく、本実施の形態では、α１＝６０°、α２＝８０°としている。
【００１８】
第２の角度α２は、第１の角度α１よりも大きく（α２＞α１）、第２の位置に位置する扉１００とプリンタ本体２０１Ａとの間の処理空間Ｃ２は、第１の位置に位置する扉１００とプリンタ本体２０１Ａとの間の処理空間Ｃ１よりも大きい。このため、第１の位置よりも第２の位置に扉１００が位置している方がシートのジャムを容易に処理することができ、ジャム処理性が高い。
【００１９】
一方で、プリンタ本体２０１Ａの底面２６０から第１の位置に位置する扉１００の把手１０１までの高さＨ１は、底面２６０から第２の位置に位置する扉１００の把手１０１までの高さＨ２よりも高い。このため、第２の位置よりも第１の位置に扉１００が位置している方が、把手１０１にユーザがアクセスしやすく、把手１０１を持って扉１００を容易に操作できる。すなわち、第１の位置の方が扉１００へのアクセス性が良い。
【００２０】
図３（ａ）乃至図３（ｃ）に示すように、回動軸１０２Ｃには、規制部材１１０が回動可能に支持されており、回動部材としての規制部材１１０は、回動軸１０２Ｃを中心に円弧状に延びる長孔ＬＨを形成する長孔部１１１を有している。長孔ＬＨには、プリンタ本体２０１Ａから延びる規制部としてのストッパ２３２が貫通しており、ストッパ２３２が長孔部１１１の端部１１１ａに当接することで、規制部材１１０の回動が規制される。更に、規制部材１１０は、扉カバー１０２の第１突き当て部１０２Ｂに当接可能な第３当接部としての第２突き当て部１１０Ｂを有している。規制部材１１０が長孔部１１１の端部１１１ａに当接した状態で、第１突き当て部１０２Ｂが第２突き当て部１１０Ｂに突き当たることで、扉１００は、第２の位置よりも開くことが規制される。
【００２１】
回動軸１０２Ｃには、ねじりバネから構成される付勢バネ１０３のコイル部１０３Ｃが巻きかけられており、付勢バネ１０３の一端１０３Ａは、扉１００の扉カバー１０２に接続され、他端１０３Ｂは、規制部材１１０に形成された孔部１１２に接続されている。図３（ｃ）に示すように、扉１００がプリンタ本体２０１Ａに対して閉じられた状態では、扉カバー１０２の第１当接部１０２Ａは、規制部材１１０の第２当接部１１０Ａに当接している。このとき、付勢部としての付勢バネ１０３は、一端１０３Ａと他端１０３Ｂとがなすねじり角度が角度β１となっており、かつねじり角度が小さくなる方向にモーメントＭＳ１を発生させている。すなわち、付勢バネ１０３は、扉カバー１０２の第１当接部１０２Ａと規制部材１１０の第２当接部１１０Ａとが互いに近づくように、扉１００及び規制部材１１０を付勢している。
【００２２】
［扉の開き動作と保持構成］
次に、扉１００の開き動作と保持構成について説明する。図４（ａ）（ｂ）に示すように、ユーザが把持部である把手１０１（図３（ａ）参照）を把持して扉１００を開くと、付勢バネ１０３の作用により、扉１００と共に規制部材１１０も回動軸１０２Ｃを中心に回動する。この時、扉カバー１０２の第１当接部１０２Ａと規制部材１１０の第２当接部１１０Ａとは、当接したままである。
【００２３】
扉１００が第１の位置まで開かれると、規制部材１１０に形成された長孔部１１１の端部１１１ａにストッパ２３２が当接する。これにより、規制部材１１０は、開き方向への回動が規制される。この時、図４（ｂ）に示すように、扉１００には、扉１００の自重によって発生する扉１００が開く方向へのモーメントＭＤ１と、付勢バネ１０３によって発生する扉１００が閉じる方向へのモーメントＭＳ１と、が作用する。モーメントＭＳ１は、モーメントＭＤ１よりも大きく設定され（ＭＳ１＞ＭＤ１）、かつ第１当接部１０２Ａと第２当接部１１０Ａとが当接した状態であるため、扉１００は、第１の位置で保持される。つまり、扉１００は、外力が加わらない場合（ユーザー等が扉を触らない状態）において、第１の位置に保持される。
【００２４】
図５（ａ）（ｂ）は、扉１００が第１の位置から、ユーザによって更に開かれて第２の位置に位置した状態を示す図である。扉１００が第１の位置から第２の位置に移動する際に、ストッパ２３２は、規制部材１１０に形成された長孔部１１１の端部１１１ａに当接したままであり、規制部材１１０は回動しない。停止したままの規制部材１１０に対して、扉１００は、付勢バネ１０３の付勢力に抗して、プリンタ本体２０１Ａに対して開かれ、第１当接部１０２Ａは、第２当接部１１０Ａに対して離間する。これにより、付勢バネ１０３の一端１０３Ａと他端１０３Ｂとがなすねじり角度は、角度β１よりも大きい角度β２となる（β２＞β１）。また、図５（ｂ）に示すように、扉カバー１０２の第１突き当て部１０２Ｂが、規制部材１１０の第２突き当て部１１０Ｂに突き当たることにより、扉１００の開き角度は、第２の角度α２（図２参照）に制限される。
【００２５】
扉１００が第２の位置に位置する際には、扉１００には、扉１００の自重によって発生する扉１００が開く方向へのモーメントＭＤ２と、付勢バネ１０３によって発生する扉１００が閉じる方向へのモーメントＭＳ２と、が作用する。モーメントＭＳ２は、モーメントＭＤ２よりも大きく設定され（ＭＳ２＞ＭＤ２）、かつ第１当接部１０２Ａと第２当接部１１０Ａとが離間した状態であるため、扉１００は、第１の位置に戻ろうとする。このため、ユーザが扉１００から手を離すと、扉１００は、付勢バネ１０３の付勢力により、第１の位置に戻る。
【００２６】
以上のような構成とすることで、扉１００は、図２（ａ）に示すように、たとえユーザが扉１００から手を離しても第１の位置で保持される。これにより、プリンタ本体２０１Ａの底面２６０から把手１０１までの高さは高さＨ１となり、把手１０１にユーザがアクセスしやすい。このため、ユーザビリティを向上することができる。
【００２７】
また、図２（ｂ）に示すように、ユーザが扉１００を付勢バネ１０３の付勢力に抗して第２の位置に開くことにより、扉１００とプリンタ本体２０１Ａとの間の処理空間Ｃ２を広く取ることができ、ジャム処理性を向上することができる。これにより、扉１００へのアクセス性とジャム処理性とを両立することができる。
【００２８】
また、ユーザが扉１００を閉状態から第１の位置まで開く際には、把手１０１を操作することが重要となるが、一旦扉１００が第１の位置まで開いてしまえば、ユーザは、把手１０１を操作せずとも扉１００を第２の位置まで押し開くことができる。そして、第２の位置に位置する扉１００からユーザが手を離すと、付勢バネ１０３によって扉１００は第１の位置に戻り、扉１００を閉じることが容易となるため、扉１００の操作性を向上することができる。
【００２９】
［外付けのシート搬送装置］
図６（ａ）（ｂ）に示すように、プリンタ２０１は、他のシート搬送装置としての外付けのシート搬送装置３００を着脱可能に接続することができ、これらプリンタ２０１及びシート搬送装置３００は、画像形成システム４００を構成している。プリンタ２０１にシート搬送装置３００を接続する場合は、プリンタ２０１にガイド５００を取り付ける。シート搬送装置３００は、プリンタ２０１の扉１００が位置している側から、ガイド５００により案内されて矢印Ｄ方向に移動し、プリンタ２０１に接続される。シート搬送装置３００は、筐体３０１と、筐体３０１の側面３０１ａから突出する押圧部３０２を有している。
【００３０】
図６（ａ）に示すように、扉１００が第１の角度α１で開かれた第１の位置に位置している状態では、押圧部３０２は、扉１００の上部１００Ａを押圧して閉じることができる。すなわち、シート搬送装置３００は、シート搬送装置３００の押圧部３０２が扉１００を押圧して閉じつつ、プリンタ２０１に接続される。なお、扉１００が第１の位置に位置する際に、シート搬送装置３００の移動方向である矢印Ｄ方向と扉１００が閉じる方向Ｒ１とがなす角は、角度γ１である。
【００３１】
一方で、図６（ｂ）に示すように、扉１００が第２の角度α２で開かれた第２の位置に位置している状態では、扉１００の上部１００Ａは、押圧部３０２の下方に位置している。このため、シート搬送装置３００が矢印Ｄ方向に移動しても、押圧部３０２は上部１００Ａに当接しない。なお、扉１００が第２の位置に位置する際に、シート搬送装置３００の移動方向である矢印Ｄ方向と扉１００が閉じる方向Ｒ２とがなす角は、角度γ１よりも大きい角度γ２である（γ２＞γ１）。
【００３２】
このように、矢印Ｄ方向と扉１００が閉じる方向Ｒ２とがなす角が大きくなって９０度に近づくほど、シート搬送装置３００が扉１００を閉じるのが困難となる。そして、本実施の形態では、扉１００は、ユーザによって開かれても図６（ａ）に示すように第１の位置で保持されるので、シート搬送装置３００の押圧部３０２によって扉１００を閉じることができる。このため、シート搬送装置３００をプリンタ２０１に接続する際に、ユーザが扉１００を閉め忘れたとしても、押圧部３０２によって扉１００が閉められるので、扉１００の閉め忘れを防止し、フールプルーフとして機能する。
【００３３】
また、扉１００が第１の位置に位置する状態では、矢印Ｄ方向と扉１００が閉じる方向Ｒ２とがなす角が比較的小さく、扉１００を容易に閉めることができる。また、扉１００にシート搬送装置３００が勢いよく衝突して、扉１００やシート搬送装置３００が破損することを低減できる。
【００３４】
＜第２の実施の形態＞
次いで、本発明の第２の実施の形態について説明するが、第２の実施の形態は、第１の実施の形態のストッパ、扉及び規制部材の位置関係及び付勢バネの付勢力を変更したものである。このため、第１の実施の形態と同様の構成については、図示を省略、又は図に同一符号を付して説明する。
【００３５】
図７（ａ）は、第１の位置よりもプリンタ本体２０１Ａ（図２参照）に対して閉じられた第３の位置に位置する状態の扉２００及び規制部材１１０を示す側面図である。なお、第３の位置では、扉２００は、プリンタ本体２０１Ａに対して第１の角度α１よりも小さい第３の角度α３を有するように開かれている（α１＞α３）。図７（ｂ）は、第１の位置に位置する扉２００及び規制部材１１０を示す側面図であり、図７（ｃ）は、第２の位置に位置する扉２００及び規制部材１１０を示す側面図である。すなわち、扉２００が開かれるにしたがって、扉２００は、第３の位置（図７（ａ）に示す位置）、第１の位置（図７（ｂ）に示す位置）、第２の位置（図７（ｃ）に示す位置）の順で遷移する。
【００３６】
扉２００が第３の位置まで開かれると、図７（ａ）に示すように、規制部材１１０に形成された長孔部１１１の端部１１１ａにストッパ２３２が当接する。これにより、規制部材１１０は、開き方向への回動が規制される。この時、扉２００には、扉２００の自重によって発生する扉２００が開く方向へのモーメントＭＤ０と、付勢バネ１０３によって発生する扉２００が閉じる方向へのモーメントＭＳ０と、が作用する。モーメントＭＤ０は、モーメントＭＳ０よりも大きく設定されており（ＭＤ０＞ＭＳ０）、扉２００は、自重によって第２の位置へ向かって回動するようになっている。なお、扉２００が第３の位置に位置する際に、付勢バネ１０３の一端１０３Ａと他端１０３Ｂとがなすねじり角度は、角度β１よりも小さいβ０である（β０＜β１）。
【００３７】
扉２００が第３の位置から第１の位置に移動する際に、図７（ｂ）に示すように、ストッパ２３２は、規制部材１１０に形成された長孔部１１１の端部１１１ａに当接したままであり、規制部材１１０は回動しない。停止したままの規制部材１１０に対して、扉２００は、付勢バネ１０３の付勢力に抗して、プリンタ本体２０１Ａに対して開かれ、第１当接部１０２Ａは、第２当接部１１０Ａに対して離間する。これにより、付勢バネ１０３の一端１０３Ａと他端１０３Ｂとがなすねじり角度は、角度β０よりも大きい角度β１となる。
【００３８】
そして、扉２００が第１の位置に達すると、扉２００には、扉２００の自重によって発生する扉２００が開く方向へのモーメントＭＤ１’と、付勢バネ１０３によって発生する扉２００が閉じる方向へのモーメントＭＳ１’と、が作用する。モーメントＭＳ１’は、モーメントＭＤ１’と等しくなるように設定されており、これらのモーメントのつり合いにより、扉２００は第１の位置で保持される。
【００３９】
図７（ｃ）に示すように、扉２００が第１の位置から、ユーザによって更に開かれて第２の位置に位置すると、扉２００の第１当接部１０２Ａは、規制部材１１０の第２当接部１１０Ａに対して更に離間する。これにより、付勢バネ１０３の一端１０３Ａと他端１０３Ｂとがなすねじり角度は、角度β１よりも大きい角度β２となる。また、扉カバー１０２の第１突き当て部１０２Ｂが、規制部材１１０の第２突き当て部１１０Ｂに突き当たることにより、扉２００の開き角度は、第２の角度α２（図２参照）に制限される。
【００４０】
扉２００が第２の位置に位置する際には、扉２００には、扉２００の自重によって発生する扉２００が開く方向へのモーメントＭＤ２と、付勢バネ１０３によって発生する扉２００が閉じる方向へのモーメントＭＳ２と、が作用する。モーメントＭＳ２は、モーメントＭＤ２よりも大きく設定され（ＭＳ２＞ＭＤ２）、かつ第１当接部１０２Ａと第２当接部１１０Ａとが離間した状態であるため、扉２００は、第１の位置に戻ろうとする。このため、ユーザが扉２００から手を離すと、扉２００は、付勢バネ１０３の付勢力により、第１の位置に戻る。
【００４１】
以上のような構成とすることで、第１の実施の形態と同様に、扉２００へのアクセス性とジャム処理性とを両立することができる。また、図６において説明したように、扉２００の閉め忘れを防止すると共に、扉２００やシート搬送装置３００の破損を低減することができる。
【００４２】
なお、既述のいずれの形態においても、付勢バネ１０３は、規制部材１１０と扉との間に設けられていたが、これに限定されない。例えば、プリンタ本体２０１Ａ（ストッパ２３２を含む）と扉との間に付勢バネ１０３を設け、規制部材１１０を省いてもよい。このとき、付勢バネ１０３の付勢力は、第１の位置に位置する扉と釣り合うように設定される。
【００４３】
また、既述のいずれの形態においても、扉は、プリンタ本体２０１Ａに開閉可能に支持されていたが、これに限定されない。例えば、プリンタ本体２０１Ａに開閉可能に支持され、再搬送路Ｒを開放可能な処理扉を設け、この処理扉に上述した扉（１００，２００）を開閉可能に設けてもよい。また、プリンタ本体２０１Ａは、ピックアップローラ８に限らず、例えばフィードローラ９やリタードローラ１０等の、シートを搬送する搬送部を少なくとも１つ有していればよく、扉が開かれた際に搬送部が露出する。
【００４４】
また、既述のいずれの形態においても、電子写真方式のプリンタ２０１を用いて説明したが、本発明はこれに限定されない。例えば、ノズルからインク液を吐出させることでシートに画像を形成するインクジェット方式の画像形成装置にも本発明を適用することが可能である。また、上述した外付けのシート搬送装置３００や、シートにパンチ処理やソート処理等の各種の処理を行うフィニッシャに本発明を適用してもよい。
【符号の説明】
【００４５】
８：搬送部（ピックアップローラ）／１００，２００：扉／１０１：把持部（把手）／１０２Ａ：第１当接部／１０２Ｃ：回動軸／１０３：付勢部（付勢バネ）／１１０：回動部材（規制部材）／１１０Ａ：第２当接部／１１０Ｂ：第３当接部（第２突き当て部）／２０１：シート搬送装置、画像形成装置／２０１Ａ：装置本体（プリンタ本体）／２０１Ｂ：画像形成部／２３２：規制部（ストッパ）／３００：他のシート搬送装置（外付けのシート搬送装置）／３０２：押圧部／４００：画像形成システム／５００：ガイド／６００：中心位置／ＭＤ１，ＭＤ１’：モーメント／ＶＤ：鉛直方向
【図１】
2019078899.tif 000003
【図２】
2019078899.tif 000004
【図３】
2019078899.tif 000005
【図４】
2019078899.tif 000006
【図５】
2019078899.tif 000007
【図６】
2019078899.tif 000008
【図７】
2019078899.tif 000009